(57)【要約】【課題】  大量のデータを手軽に携帯電話機にダウンロードできるようにする。【解決手段】  動画表示装置１０は、データを複数の図形コードに分割して符号化し、それら複数の図形コードを繰り返し表示する。撮像素子３４で図形コードを撮影する。図形コード復号化装置４２は、撮影された図形コードを復号化する。各図形コードの復号化で得られたデータは、記録媒体４４に格納される。複数の図形コードの全てを復号化し終えたら、図形コードの撮影と復号化を終了する。【選択図】  図１
2005284836.tif 000002
【特許請求の範囲】
【請求項１】
データを複数の図形コードに分割して符号化し、
当該複数の図形コードを繰り返し表示し、
表示される図形コードを撮影し、
撮影された図形コードを復号化し、
当該複数の図形コードの全てについて復号化を終えたら、図形コードの復号化処理を終了する
ことを特徴とするデータ伝送方法。
【請求項２】
各図形コードは、当該複数の図形コードの数を示す情報と、当該複数の図形コード内での順番を示す情報を保持することを特徴とする請求項１に記載のデータ伝送方法。
【請求項３】
当該複数の図形コードの全てについて復号化を終えたら、各図形コードから復号化されたデータを本来の順序に配置することを特徴とする請求項１又は２に記載のデータ伝送方法。
【請求項４】
データの異なる部分を搬送する複数の図形コードを繰り返し表示する図形コード表示装置（１０）と、
当該図形コード表示装置で図形コードの形態で送信される当該データを受信するデータ受信装置（３０）
とからなるデータ伝送システムであって、
当該データ受信装置（３０）が、
当該図形コード表示装置で表示される各図形コードを撮影する撮像装置（３４，３６）と、
当該撮像装置で撮影された図形コードを復号化する図形コード復号化装置（４２）と、
当該図形コード復号化装置により復号化された各図形コードのデータを記録する記録媒体（４４）と、
当該複数の図形コードの全てについて復号化を終えたら、当該図形コード復号化装置（４２）に図形コードの復号化処理を終了させるＣＰＵ（４６）
とを具備することを特徴とするデータ伝送システム。
【請求項５】
各図形コードは、当該複数の図形コードの数を示す情報と、当該複数の図形コード内での順番を示す情報を保持することを特徴とする請求項３に記載のデータ伝送システム。
【請求項６】
当該データ受信装置が、カメラ機能及び図形コード復号化機能を有する携帯情報処理装置（３０）からなる請求項３又は４に記載のデータ伝送システム。
【請求項７】
当該携帯情報処理装置が携帯電話器である請求項５に記載のデータ伝送システム。
【請求項８】
データを記憶するデータ記憶装置（１２）と、
当該データを複数の図形コードに分割して符号化する図形コード符号化装置（１４）と、
当該複数の図形コードを記憶する図形コード記憶装置（１８）と、
当該複数の図形コードを繰り返し表示する画像表示装置（２０）
とを具備することを特徴とするデータ送信装置。
【請求項９】
各図形コードは、当該複数の図形コードの数を示す情報と、当該複数の図形コード内での順番を示す情報を保持することを特徴とする請求項７に記載のデータ送信装置。
【請求項１０】
繰り返し表示される複数の図形コードにより送信されるデータを受信する受信装置であって、
各図形コードを撮影する撮像装置（３４，３６）と、
当該撮像装置で撮影された図形コードを復号化する図形コード復号化装置（４２）と、
当該図形コード復号化装置により復号化された各図形コードのデータを記録する記録媒体（４４）と、
当該複数の図形コードの全てについて復号化を終えたら、当該図形コード復号化装置（４２）に図形コードの復号化処理を終了させるＣＰＵ（４６）
とを具備することを特徴とするデータ受信装置。
【請求項１１】
各図形コードは、当該複数の図形コードの数を示す情報と、当該複数の図形コード内での順番を示す情報を保持することを特徴とする請求項９に記載のデータ受信装置。
【請求項１２】
カメラ機能及び図形コード復号化機能を有する携帯情報処理装置（３０）に実装される請求項９又は１０に記載のデータ受信装置。
【請求項１３】
当該携帯情報処理装置が携帯電話器である請求項１１に記載のデータ受信装置。
【発明の詳細な説明】
【技術分野】
【０００１】
本発明は、図形コードを使用するデータ伝送システム、データ送信装置及びデータ受信装置に関する。
【背景技術】
【０００２】
ＱＲコード等の図形コードを印刷面及び映像モニタ画面上に印刷及び表示し、その図形コードを、携帯コンピュータ、携帯情報処理装置及び携帯電話器等の携帯情報処理装置で読み取ることで、データを携帯情報処理装置に入力するデータ伝送システムは、公知である。例えば、図形コードにより、より詳しい情報を発信するインターネット上のサイトのＵＲＬ（Universal Resource Locator）を手書きによらずに携帯情報処理装置のブラウザにセットでき、より詳しい情報をユーザに提供できる。
【０００３】
最近の携帯電話器は、インターネットに接続する機能のみならず、１００万画素乃至２００万画素のカメラを装備し、アプリケーションソフトウエアを記憶できる。これらの機能を利用し、図形コード読み取り機能を予め装備した携帯電話器も商品化されている。
【発明の開示】
【発明が解決しようとする課題】
【０００４】
ＵＲＬのような短いデータを伝送する場合には、単一の図形コードで十分である。しかし、より多くのデータ、例えば、壁紙データ及び着信メロディ等を伝送しようすると、単一の図形コードでは限界がある。１つの図形コードのデータ量を多くすることにも限界がある。インターネットの指定サイトにアクセスするは、ユーザにとって面倒である。
【０００５】
図形コードを細かくすることでデータ量を多くした場合、図形コード読み取りに使用する撮像素子の解像度を図形コードの細かさに応じて上げる必要がある。これは、携帯情報処理装置のコストを増大させ、また、読み取り可能な携帯情報処理装置が限定される。
【０００６】
本発明は、単一の図形コードでは伝送できない量のデータを伝送可能にするデータ伝送システム、データ送信装置及びデータ受信装置を提示することを目的とする。
【課題を解決するための手段】
【０００７】
本発明に係るデータ伝送方法では、データを複数の図形コードに分割して符号化する。当該複数の図形コードを繰り返し表示する。表示される図形コードを撮影する。撮影された図形コードを復号化する。当該複数の図形コードの全てについて復号化を終えたら、図形コードの復号化処理を終了する。
【０００８】
本発明に係るデータ伝送システムは、データの異なる部分を搬送する複数の図形コードを繰り返し表示する図形コード表示装置と、当該図形コード表示装置で図形コードの形態で送信される当該データを受信するデータ受信装置とからなるデータ伝送システムであって、当該データ受信装置が、当該図形コード表示装置で表示される各図形コードを撮影する撮像装置と、当該撮像装置で撮影された図形コードを復号化する図形コード復号化装置と、当該図形コード復号化装置により復号化された各図形コードのデータを記録する記録媒体と、当該複数の図形コードの全てについて復号化を終えたら、当該図形コード復号化装置に図形コードの復号化処理を終了させるＣＰＵとを具備することを特徴とする。
【０００９】
このような構成により、本発明では、単一の図形コードでは伝送できないような大量のデータを効率的に伝送できる。ユーザは、面倒な手間無しに希望のデータをダウンロードできる。
【００１０】
好ましくは、各図形コードは、当該複数の図形コードの数を示す情報と、当該複数の図形コード内での順番を示す情報を保持する。
【００１１】
本発明に係るデータ送信装置は、データを記憶するデータ記憶装置と、当該データを複数の図形コードに分割して符号化する図形コード符号化装置と、当該複数の図形コードを記憶する図形コード記憶装置と、当該複数の図形コードを繰り返し表示する画像表示装置とを具備することを特徴とする。
【００１２】
本発明に係るデータ受信装置は、繰り返し表示される複数の図形コードにより送信されるデータを受信する受信装置であって、各図形コードを撮影する撮像装置と、当該撮像装置で撮影された図形コードを復号化する図形コード復号化装置と、当該図形コード復号化装置により復号化された各図形コードのデータを記録する記録媒体と、当該複数の図形コードの全てについて復号化を終えたら、当該図形コード復号化装置に図形コードの復号化処理を終了させるＣＰＵとを具備することを特徴とする。
【発明の効果】
【００１３】
本発明によれば、単一の図形コードでは伝送できないような大量のデータを効率的に伝送できる。換言すると、図形コードによる伝送データ量を大幅に増やすことができる。これにより、ユーザは、面倒な手間無しに希望のデータをダウンロードできる。
【発明を実施するための最良の形態】
【００１４】
以下、図面を参照して、本発明の実施例を詳細に説明する。
【実施例１】
【００１５】
図１は、本発明の一実施例の概略構成ブロック図を示す。
【００１６】
動画表示装置１０は、外部の携帯情報処理装置、本実施例では、携帯電話器３０に伝送すべきデータを記憶するデータ記憶装置１２を具備する。図形コード符号化装置１４は、データ記憶装置１２に記憶されるデータを図形コードに符号化する。本実施例では、データ記憶装置１２に記憶されるデータを図形コード形式で携帯電話器３０に伝送するには、複数の図形コードを必要とする。従って、図形コード符号化装置１４は、複数の図形コードを出力する。メモリ制御装置１６は、図形コード符号化装置１４からの複数の図形コードを図形コード記憶装置１８に格納する。
【００１７】
メモリ制御装置１６は、図２に模式的に示すように、図形コード記憶装置１８に記憶される複数の図形コードを循環的に読み出し、画像表示装置２０に印加する。これにより、画像表示装置２０は、複数の図形コードを循環的に表示する。図２は、ｎ個の図形コードを循環的に表示する様子を示す。各図形コードには、図形コードの総数、即ち、ｎを示すデータと、各図形コードの番号を示すデータが含まれる。各図形コードを表示する期間は、図形コードを読み取ろうとする携帯電話器３０の画像読み取り能力及び図形コード復号化能力に依存する。一般的なテレビ受像機では、３０フレーム／秒又は５０フィールド／秒であるが、人間が視覚的に確認する目的では無いので、これより遅い、例えば、各図形コードの表示時間は、１／１５秒（即ち、１５フレーム／秒）から１秒（即ち、１フレーム／秒）程度に相当する時間でもよい。
【００１８】
携帯電話器３０の機能と構成を説明する。先ず、ユーザは、携帯電話器３０のカメラを画像表示装置２０の画面に向ける。画像表示装置２０に表示される画像が、撮影レンズ３２を介して撮像素子３４上に結像する。ユーザが、操作ボタン５０の撮影開始／停止ボタン５２を操作すると、撮像素子３４は、画像表示装置２０の表示画像の撮影を開始し、再び、操作ボタン５０の撮影開始／停止ボタン５２を操作すると、撮影を停止する。
【００１９】
撮像素子３４から出力される画像信号は、カメラ信号処理装置３６に印加される。カメラ信号処理装置３６は、撮像素子３４の出力画像信号にデジタルカメラで周知のγ補正処理及び色バランス調整処理を施す。カメラ信号処理装置３６の出力画像信号は、バス５６を介して画像メモリ３８に印加され、画像メモリ３８に一時的に格納される。画像メモリ３８に記憶される画像は、動画の各フレームの静止画像であり、画像表示装置４０の更新周期で更新される。画像表示装置４０は、画像メモリ３８に格納される画像を逐次、表示する。これにより、画像表示装置４０の画面には、撮像素子３４で撮影される動画像が表示される。
【００２０】
図形コード復号化装置４２は、画像メモリ３８に一時記憶される各静止画像（動画の各フレームの画像）から図形コードを読み取り、解読する。動画表示装置１０での各図形コードの表示時間は、図形コード復号化装置４２の復号化能力を勘案して決定される。図形コード復号化装置４２で復号化されたデータは、図形コードの番号と関連付けて、受信データとして記録媒体４４に記録される。
【００２１】
ＣＰＵ４６は、図形コード復号化装置４２による図形コードの復号化をモニタし、復号化された各図形コードの番号と図形コード数を記憶する。これらの情報から、どの時点で図形コードの撮影を開始しても、全図形コードの読み取り終了を認識できる。図形コード１から図形コードｎの全図形コードを復号し終えたら、図形コード復号化装置４２に復号化を終了させる。全図形コードの復号化を終了すると、ＣＰＵ４６は、記録媒体４４に記憶される各図形コードのデータを、本来の順番、即ち図形コード順に再配置する。これにより、データ記憶装置１２に記憶されたデータを、記録媒体４４上で復元できたことになる。同時に、ＣＰＵ４６は、全図形コードの読み取り終了をユーザに通知する。この読み取り終了通知に従い、ユーザは、撮影開始／停止ボタン５２を操作する。これにより、撮像素子３４は撮影動作を停止する。
【００２２】
勿論、誤り訂正が必要な場合、ＣＰＵ４６は、動画表示装置１０で付加される誤り訂正符号を使用して、記録媒体４４に記憶される受信データの誤りを訂正する。ＲＯＭ４８には、携帯電話器３０で必要なパラメータ及びＣＰＵ４６の演算プログラム等が格納される。
【００２３】
通信制御装置（ＮＣＵ）５４は、ＣＰＵ４６の指示に従い携帯電話網６０に接続し、音声通話及びデータ伝送を行うことができる。例えば、図形コードで受信した記録媒体４４に記憶されるデータを、例えば、電子メールに添付して別の情報処理装置に転送できる。
【００２４】
このようにして、本実施例では、ひとまとまりのデータを複数の図形コードに分割して伝送できるので、従来よりも多くのデータを携帯情報処理装置に伝送できる。単一の図形コードでは伝送できない程の多くのデータであっても、ＵＲＬの受信、受信したＵＲＬの示すサイトへのアクセス、及び、そのサイトからのダウンロードといった面倒な手間をユーザに強いる必要がなくなる。
【００２５】
図２では、１つの画面に１つの図形コードを表示したが、１つの画面に複数の図形コードを同時表示してもよい。但し、その場合、携帯電話器３０は、同時表示される図形コードを解読できるだけの図形コード復号化能力を具備する必要がある。
【００２６】
動画表示装置１０は、例えば、家庭内のテレビ受像機、街頭及び競技場に設置される大型ディスプレイ、電車内に設置される液晶ディスプレイ、又は、コンビニエンスストア等に設置される情報端末等である。
【００２７】
街頭、ショーウィンド及び電車内などに設置された映像のみを表示可能な画像表示装置を使用する場合、配信する映像信号に図形コードを重畳しておく。例えば、歌曲のプロモーションビデオに、その歌曲のサンプル版又は着信メロディを図形コード化して重畳する。このビデオ映像の図形コードを動画撮影機能付き携帯電話器で撮影し、図形コードを復号化することにより、携帯電話器のユーザは、楽曲のサンプル版又は着信メロディを即座に入手できる。有効期限の設定も容易であるので、期限を限定した配信が可能になる。テレビ放送又はラジオ放送で配信する場合には比べ、ユーザの負担は軽く、且つ、音質も良い。
【００２８】
本実施例は、位置特定及び緊急通報等にも利用可能であり、店頭でのプロモーションにも利用可能である。例えば、街頭又はショーウィンドなどに固定して設置された映像表示装置に、図形コードを重畳した映像信号を印加する。その図形コードで映像表示装置の設置位置を示す位置情報を伝送すれば、位置の特定が可能になる。また、その店での特売情報を伝送すれば、顧客を自店舗に誘導できるし、店舗に到る地図も含めれば、より効果的である。緊急通報及び重大ニュース等を伝送すれば、より利便性が高まる。
【００２９】
携帯電話器を使用する場合、ユーザの認証が容易であるから、有料情報を配信するいわゆる情報ボックスから有料情報をダウンロードするのも容易になる。その手順を簡単に説明する。
【００３０】
図形コード読み取り機能付き携帯電話器を用いて、情報サーバにアクセスする。情報サーバは、情報ボックスと有線又は無線で接続しており、情報サーバに蓄積されているデータは、随時、ミラーリングされている。
【００３１】
情報サーバと携帯電話器の間で利用書ＩＤと課金に関する情報をやり取りする。携帯電話器から所望のデータ要求を情報サーバに送信する。情報サーバは、携帯電話器からの要求を情報ボックスに転送する。情報ボックスは、要求されたデータを画像表示装置上に一連の図形コードとして表示する。利用者は、この一連の図形コードを携帯電話器で撮影し復号化することで、所望のデータを携帯電話器に取得格納する。
【００３２】
本発明は、電波を使用しないので、電磁波の使用を制限されている場所、例えば病院内などにおけるワイヤレス通信手段として有益である。
【００３３】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００３４】
【図１】本発明の一実施例の概略構成ブロック図である。
【図２】複数の図形コードの繰り返し表示を例示する模式図である。
【符号の説明】
【００３５】
１０：動画表示装置
１２：データ記憶装置
１４：図形コード符号化装置
１６：メモリ制御装置
１８：図形コード記憶装置
２０：画像表示装置
３０：携帯電話器
３２；撮影レンズ
３４：撮像素子
３６：カメラ信号処理装置
３８：画像メモリ
４０：画像表示装置
４２：図形コード復号化装置
４４：記録媒体
４６：ＣＰＵ
４８：ＲＯＭ
５０：操作ボタン
５２：撮影開始／停止ボタン
５４：通信制御装置（ＮＣＵ）
５６：バス
６０：携帯電話網
【図１】
2005284836.tif 000003
【図２】
2005284836.tif 000004